(57)【特許請求の範囲】
【請求項１】
ボディに対して軸支され、該ボディの略中心を通る回転軸まわりに回転変位可能な撮影レンズ系と、
前記撮影レンズ系の回転変位の程度に応じて、前記撮影レンズ系の開口部が前記ボディによって完全に覆われかつ前記撮影レンズ系と前記ボディとで略連続な最外面を形成する収納位置と、前記開口部が前記ボディに覆われずかつ前記開口部が前記ボディに対して突出する撮影可能位置との間で前記撮影レンズ系を変化させる変位手段と、
前記撮影レンズ系の開口部の少なくとも一部の領域が前記ボディによって覆われて、撮影不適の位置にあることを判別する判別手段と、
前記撮影レンズ系を用いて被写体を撮像し、画像信号を生成する撮像手段と、
前記撮像手段から出力される画像信号を増幅する増幅手段と、
前記判別手段による判別結果に基づいて、前記増幅手段における利得調整動作を制御する利得制御手段と、
を有することを特徴とする電子カメラ。
【請求項２】
前記利得制御手段は、前記判別手段が前記撮影レンズ系の開口部の少なくとも一部が前記ボディにより覆われていると判別した場合、前記増幅手段における利得調節を行わないように制御することを特徴とする請求項１記載の電子カメラ。
【請求項３】
ボディに対して軸支され、該ボディの略中心を通る回転軸まわりに回転変位可能な撮影レンズ系と、
前記撮影レンズ系の回転変位の程度に応じて、前記撮影レンズ系の開口部が前記ボディによって完全に覆われかつ前記撮影レンズ系と前記ボディとで略連続な最外面を形成する収納位置と、前記開口部が前記ボディに覆われずかつ前記開口部が前記ボディに対して突出する撮影可能位置との間で前記撮影レンズ系を変化させる変位手段と、
前記撮影レンズ系の開口部の少なくとも一部の領域が前記ボディによって覆われて、撮影不適の位置にあることを判別する判別手段と、
電源がオンの状態におけるカメラの未操作状態の継続時間を検出する未操作検出手段と、
前記未操作検出手段の検出により未操作状態が所定時間以上継続したことに応じて、カメラの動作モードを電力消費量を抑えた節電モードに設定する節電手段と、
前記判別手段による判別結果に基づいて、前記節電手段における節電モードに設定するための所定時間を切り換える切換手段と、
を有することを特徴とするカメラ。
【請求項４】
前記切換手段は、前記撮影レンズ系の開口部の少なくとも一部が前記ボディにより覆われている場合の前記所定時間を前記撮影レンズ系の開口部が覆われていない場合の所定時間よりも短い時間に設定することを特徴とする請求項３記載のカメラ。
【請求項５】
前記節電手段は、前記判別手段の判別結果が前記撮影レンズ系の開口部が前記ボディにより覆われている状態から覆われていない状態へと移行した場合に、前記節電モードを解除することを特徴とする請求項３記載のカメラ。
【発明の詳細な説明】
【０００１】
【発明の属する技術分野】
本発明は、ＣＣＤなどの撮像装置で被写体を撮像して画像データを記録媒体に記録する電子カメラ、および被写体を撮像して銀塩フィルムに画像を写すカメラに関する。なお、この明細書において、単にカメラと称するときは、電子カメラと銀塩フィルムに画像を写すカメラの両者を意味するものとする。
【０００２】
【従来の技術】
電子カメラは、被写体の明るさに応じて、ＣＣＤなどを含む撮像装置の感度を自動的に調節し、暗くても被写体を撮影可能にする機能を有している。
また、電子カメラは、現在撮影装置が撮影している画像を液晶モニタにそのまま表示するスルー画像表示機能を有している。
【０００３】
また、カメラは、電源がオンの状態で、所定時間に亙って何も操作が行われない場合、必要最小限の電力で待機する節電モードに入るように構成されている。
【０００４】
【発明が解決しようとする課題】
前記した従来技術においては、電子カメラの撮影レンズ系の開口部の少なくとも一部の領域が何らかの物体（例えば、レンズキャップやカバー等）によって覆われた場合（けられが生じた場合）でも、撮像装置の感度を自動的に上げて、撮影可能の状態にする。そのため、不適切な画像を撮影してしまうという問題点があった。
【０００５】
また、液晶モニタにスルー画像を表示しているとき、電子カメラの撮影レンズ系の開口部の少なくとも一部の領域が何らかの物体（例えば、レンズキャップやカバー等）によって覆われた場合（けられが生じた場合）、それ以後、不適切な画像を液晶モニタに表示撮影してしまうという問題点があった。この場合、前記開口部が覆われている領域が広いと、表示された画像にノイズが多く含まれるという問題点があった。
【０００６】
また、カメラは、電源がオンの状態で、所定時間に亙って何も操作が行われないとき、必要最小限の電力で待機する節電モードに入るように構成されている。しかし、カメラの撮影レンズ系の開口部の少なくとも一部の領域が何らかの物体（例えば、レンズキャップやカバー等）によって覆われた場合（けられが生じた場合）、撮影を行っても、適切な画像を撮影できない。そこで、前記所定時間が経過しないと節電モードに入らないという事態は、その間、電力を無駄に消費することになるという問題点があった。
【０００７】
本発明は前記した従来技術の問題点に鑑み為されたもので、電子カメラの撮影レンズ系の開口部の少なくとも一部の領域が何らかの物体（例えば、レンズキャップやカバー等）によって覆われているか否かを判別して、判別結果に応じて撮像装置の感度調整を行うか否かを制御する電子カメラを提供することを目的とする。
【０００８】
また、本発明は前記した従来技術の問題点に鑑み為されたもので、液晶モニタにスルー画像を表示しているとき、電子カメラの撮影レンズ系の開口部の少なくとも一部の領域が何らかの物体（例えば、レンズキャップやカバー等）によって覆われたか否かを判別して、判別結果に応じてスルー画像の表示を行うか否かを制御する電子カメラを提供することを目的とする。
【０００９】
また、本発明は前記した従来技術の問題点に鑑み為されたもので、カメラの撮影レンズ系の開口部の少なくとも一部の領域が何らかの物体（例えば、レンズキャップやカバー等）によって覆われたか否かを判別して、判別結果に応じて、節電モードのための所定時間を切り換えるようにしたカメラを提供することを目的とする。
【００１０】
【課題を解決するための手段】
第１の発明の電子カメラは、ボディに対して軸支され、該ボディの略中心を通る回転軸まわりに回転変位可能な撮影レンズ系と、前記撮影レンズ系の回転変位の程度に応じて、前記撮影レンズ系の開口部が前記ボディによって完全に覆われかつ前記撮影レンズ系と前記ボディとで略連続な最外面を形成する収納位置と、前記開口部が前記ボディに覆われずかつ前記開口部が前記ボディに対して突出する撮影可能位置との間で前記撮影レンズ系を変化させる変位手段と、前記撮影レンズ系の開口部の少なくとも一部の領域が前記ボディによって覆われて、撮影不適の位置にあることを判別する判別手段と、前記撮影レンズ系を用いて被写体を撮像し、画像信号を生成する撮像手段と、前記撮像手段から出力される画像信号を増幅する増幅手段と、前記判別手段による判別結果に基づいて、前記増幅手段における利得調整動作を制御する利得制御手段と、を有することを特徴とする。
【００１１】
第１の発明によれば、撮影レンズ形の開口部の少なくとも一部の領域が覆われているか否かを判別して、画像信号を増幅する増幅手段における利得調節動作の制御を行うことができる。
【００１２】
第２の発明は、第１の発明において、前記利得制御手段は、前記判別手段が前記撮影レンズ系の開口部の少なくとも一部が前記ボディにより覆われていると判別した場合、前記増幅手段における利得調節を行わないように制御することを特徴とする。
第２の発明によれば、撮影レンズ系の開口部の少なくとも一部の領域が覆われている場合、増幅手段における利得調節を行わないように制御することができる。
【００１３】
第３の発明のカメラは、ボディに対して軸支され、該ボディの略中心を通る回転軸まわりに回転変位可能な撮影レンズ系と、前記撮影レンズ系の回転変位の程度に応じて、前記撮影レンズ系の開口部が前記ボディによって完全に覆われかつ前記撮影レンズ系と前記ボディとで略連続な最外面を形成する収納位置と、前記開口部が前記ボディに覆われずかつ前記開口部が前記ボディに対して突出する撮影可能位置との間で前記撮影レンズ系を変化させる変位手段と、前記撮影レンズ系の開口部の少なくとも一部の領域が前記ボディによって覆われて、撮影不適の位置にあることを判別する判別手段と、電源がオンの状態におけるカメラの未操作状態の継続時間を検出する未操作検出手段と、前記未操作検出手段の検出により未操作状態が所定時間以上継続したことに応じて、カメラの動作モードを電力消費量を抑えた節電モードに設定する節電手段と、前記判別手段による判別結果に基づいて、前記節電手段における節電モードに設定するための所定時間を切り換える切換手段と、を有することを特徴とする。
【００１４】
第３の発明によれば、撮影レンズ系の開口部の少なくとも一部の領域が覆われているか否かの判別結果に基づいて、節電モードに入るまでの所定時間を切り換えることができる。
【００１５】
第４の発明は、第３の発明において、前記切換手段は、前記撮影レンズ系の開口部の少なくとも一部が前記ボディにより覆われている場合の前記所定時間を前記撮影レンズ系の開口部が覆われていない場合の所定時間よりも短い時間に設定することを特徴とする。
【００１６】
第４の発明によれば、撮影レンズ経の開口部の少なくとも一部の領域が前記ボディにより覆われている場合、節電モードに入るまでの所定時間をより短い時間に切り替えることができる。
【００１７】
第５の発明は、第３の発明において、前記節電手段は、前記判別手段の判別結果が前記撮影レンズ系の開口部が前記ボディにより覆われている状態から覆われていない状態へと移行した場合に、前記節電モードを解除することを特徴とする。
【００１８】
第５の発明によれば、撮影レンズ系の開口部が前記ボディにより覆われている状態から覆われていない状態へと移行した場合、節電モードが解除される。
【００１９】
なお、電子カメラとしては、撮影レンズ系と、前記撮影レンズ系の開口部の少なくとも一部の領域を覆う覆い手段と、前記撮影レンズ系の開口部の少なくとも一部の領域が前記覆い手段によって覆われていることを判別する判別手段と、前記撮影レンズ系を用いて被写体を撮像し、画像信号を生成する撮像手段と、前記撮像手段から出力される画像信号を増幅する増幅手段と、前記判別手段による判別結果に基づいて、前記増幅手段における利得調節動作を制御する利得制御手段と、を有することが好ましい。
【００２０】
また、このような電子カメラにおいては、前記利得制御手段は、前記判別手段が前記撮影レンズ系の開口部の少なくとも一部が前記覆い手段により覆われていると判別した場合、前記増幅手段における利得調節を行わないように制御することが好ましい。
【００２１】
また、カメラとしては、撮影レンズ系と、前記撮影レンズ系の開口部の少なくとも一部の領域を覆う覆い手段と、前記撮影レンズ系の開口部の少なくとも一部の領域が前記覆い手段によって覆われていることを判別する判別手段と、電源がオンの状態におけるカメラの未操作状態の継続時間を検出する未操作検出手段と、前記未操作検出手段の検出により未操作状態が所定時間以上継続したことに応じて、カメラの動作モードを電力消費量を抑えた節電モードに設定する節電手段と、前記判別手段による判別結果に基づいて、前記節電手段における節電モードに設定するための所定時間を切り換える切換手段と、を有することが好ましい。
【００２２】
なお、このようなカメラにおいては、前記切換手段は、前記撮影レンズ系の開口部の少なくとも一部が前記覆い手段により覆われている場合の前記所定時間を前記撮影レンズ系の開口部が覆われていない場合の所定時間よりも短い時間に設定することが好ましい。
【００２３】
また、このようなカメラにおいては、前記節電手段は、前記判別手段の判別結果が前記撮影レンズ系の開口部が前記覆い手段により覆われている状態から覆われていない状態へと移行した場合に、前記節電モードを解除することが好ましい。
【００２８】
【発明の実施の形態】
以下、図面を用いて本発明の一実施の形態について説明する。この実施の形態は、請求項１〜１６に記載の全ての発明に対応する。
図１は、本発明の一実施の形態で用いるカメラの斜視図である。図１において、１はカメラのボディ、２は撮像ブロック、２１は撮影レンズ系の開口部、２２はストロボの発光部、２３は撮像ブロック２の回転軸である。撮像ブロック２は、撮影レンズ系（図示せず）と撮像素子であるＣＣＤ（図示せず）とストロボの発光部２２を備えている。ボディ１は、液晶モニタ１１とレリーズボタン１２を備えている。
【００２９】
図１に示す実施の形態においては、撮像ブロック２が回転軸２３を中心にして、矢印Ａ，Ｂの示す方向に回転する。図１から明らかなように、撮像ブロック２はボディ１に内包された状態で回転する。ここで、ボディ１は特許請求の範囲に記載する覆い手段に対応する。また、前記撮像ブロック２の回転は、特許請求の範囲に記載する変位手段に対応する。
【００３０】
図２と図３は、ボディ１に対して、撮像ブロック２が回転変位する状態を示す図である。
図２は、撮像ブロック２が回転軸２３を中心にして、角度θ（θは可変）の位置に回転した状態を示している。図２は、θ＝−９０度の状態を示している。
図３に示す（ａ）〜（ｆ）は、前記撮像ブロック２が回転変位した場合の各遷移状態を示す図である。
【００３１】
図３（ａ）は、撮像ブロック２がθ＝９０度まで回転変位した状態を示している。この実施の形態においては、θ＝９０度は対面撮像の限界位置である。すなわち、この実施の形態では、θが９０度以上回転しないように構成されている。ここで、対面撮像とは、撮像ブロック２の撮影レンズ系２０を撮影者の方に向けて撮影することを意味する（自分撮影）。
【００３２】
図３（ｂ）は、撮像ブロック２がθ＝α１まで回転変位した状態を示している。この実施の形態では、θがα１より小さくなると、撮影レンズ系２０の開口部がボディ１によって覆われ始め、けられが発生する。したがって、図３（ｂ）は対面撮影限界位置である。
図３（ｃ）は、撮像ブロック２がθ＝０度の状態を示している。この状態においては、撮像ブロック２がボディ１に収納される。したがって、撮像は不可能である。
【００３３】
図３（ｄ）は、撮像ブロック２がθ＝−α１まで回転変位した状態を示している。この実施の形態では、θが−α１より小さくなると、撮影レンズ系２０の開口部がボディ１によって覆われなくなり、けられが発生しなくなる。したがって、図３（ｄ）は、正面上方撮影限界位置である。
【００３４】
図３（ｅ）は、撮像ブロック２がθ＝−９０度まで回転した状態を示している。これは、通常のカメラによる正面撮影位置を意味している。すなわち、正面撮像とは、撮像ブロック２の撮影レンズ系２０を被写体の方に向けて撮影することを意味する（通常撮影）。
図３（ｆ）は、撮像ブロック２がθ＝−α２まで回転した状態を示している。この実施の形態では、θが−α２以下になると、撮影レンズ系２０の開口部がボディ１によって覆われ始め、けられが発生する。したがって、この実施の形態では、θが−α２以下にならないように構成されている。したがって、電子カメラの正面下方撮影限界位置である。
【００３５】
また、本実施の形態の電子カメラは、撮影レンズ系２０が図３の（ａ）から（ｆ）に示す各位置に回転変位するとき、操作者にクリック感を与えるように構成されている。
図４は、本実施の形態における電子カメラのブロック図である。図４において、１００はＣＰＵ、１０１はバス、１０２は利得が調整可能な増幅器、１０３はＡ／Ｄ変換器、１０４は画像処理部、１０５はバッファメモリ、１０６は画像圧縮／伸長部、１０７は記録媒体、１０８はＤ／Ａ変換器、１１は液晶モニタ、１１０は電源スイッチ、１２はレリーズボタン、１１２は撮影モード／再生モード切換スイッチ、ＳＷ１，ＳＷ２はスイッチである。
【００３６】
ＳＷ１，ＳＷ２は、撮影レンズ系２０の開口部の少なくとも一部の領域がボディ１によって覆われて撮影不適の位置にあることを判別するためのスイッチであり、ボディ１に固定されている。スイッチＳＷ１，ＳＷ２は、後述する回転軸２３に設けられたカムとともに、特許請求の範囲に記載する判別手段の一部を構成する。
【００３７】
以下、図４に示す電子カメラの動作について説明する。
図４において、電源スイッチ１１０がオンすると、電子カメラの動作が開始する。なお、以下の説明では、撮影モード／再生モード切換スイッチ１１２が撮影モードにセットされているものとして説明する。また、再生モードにおける動作は、本発明と関係ないので、その説明を省略する。
【００３８】
まず、レリーズボタン１２が押下されると、撮像ブロック２のＣＣＤ２４に結像された被写体画像は、ＣＣＤ２４によってアナログ画像信号に変換され、増幅器１０２に入力される。
増幅器１０２は、ＣＰＵ１００によって設定された利得で前記入力されたアナログ画像信号を増幅する。増幅器１０２から出力されたアナログ画像信号はＡ／Ｄ変換器１０３に入力され、Ａ／Ｄ変換器１０３は入力されたアナログ画像信号をデジタル画像信号に変換して出力する。
【００３９】
Ａ／Ｄ変換器１０３から出力されたデジタル画像信号は、一方において、画像処理部１０４に入力される。画像処理部１０４は、入力されたデジタル画像信号に、ホワイトバランス、ガンマ変換、画素補間等の画像処理を施す。ホワイトバランス、ガンマ変換、画素補間等の画像処理は、本発明と直接関係しないので、その説明を省略する。
【００４０】
画像処理されたデジタル画像データは、一時的にバッファメモリ１０５に格納される。
バッファメモリ１０５から出力されたデジタル画像信号は、画像圧縮／伸長部１０６において、画像圧縮された後、メモリカード等の記憶媒体１０７に格納される。
【００４１】
Ａ／Ｄ変換器１０３から出力されたデジタル画像信号は、他方において、Ｄ／Ａ変換器１０８に入力される。Ｄ／Ａ変換器１０８は、入力されたデジタル画像信号をアナログ画像信号に変換して、液晶モニタ１１に出力する。
液晶モニタ１１は、現在、ＣＣＤ２４が捉えている画像をそのまま表示する。この画像をスルー画像と称する。
【００４２】
次に、図５を用いて、スイッチＳＷ１，ＳＷ２の動作について説明する。前記したように、スイッチＳＷ１，ＳＷ２は、撮影レンズ系２０の開口部の少なくとも一部の領域がボディ１によって覆われて撮影不適の位置にあることを判別するためのスイッチである。
図５は、撮像ブロック２の回転位置（図３のθ参照）に応じて、回転軸２３に直結したカム２６により、スイッチＳＷ１，ＳＷ２がオン／オフする状態から、撮像ブロック２が撮影不適の位置にあるか否かを判別する状態を示す説明図である。具体的には、ＣＰＵ１００（図４参照）が、スイッチＳＷ１，ＳＷ２のオン／オフ状態を監視することにより、撮像ブロック２が撮影不適の位置にあるか否かを判別する。ここで、スイッチＳＷ１，ＳＷ２とカム２６とＣＰＵ１００は、特許請求の範囲に記載する判別手段に相当する。
【００４３】
図５（ａ）に示すように、対面撮影位置（θ＝９０度）においては、スイッチＳＷ１，ＳＷ２は、カム２６の突起部がスイッチＳＷ１，ＳＷ２と係合しないため、共にオフである。このとき、ＣＰＵ１００（図４参照）は撮影可能と判断する。
図５（ｂ）に示すように、対面撮影限界位置（θ＝α１）においては、スイッチＳＷ１はオフを保持する。しかし、スイッチＳＷ２は、カム２６の突起部と係合を開始するので、オフからオンに変化する。したがって、ＣＰＵ１００（図４参照）は、対面撮影限界位置を超えた場合、撮影不可能と判断する。
【００４４】
図５（ｃ）に示すように、収納位置（θ＝０度）においては、スイッチＳＷ１がオフ、スイッチＳＷ２がオンなので、ＣＰＵ１００（図４参照）は、撮影不可能と判断する。
図５（ｄ）に示すように、正面上方撮影位置限界（θ＝−α１）においては、スイッチＳＷ２がオンを保持し、スイッチＳＷ１がカム２６の突起部と係合を開始するので、オフからオンに変化する。したがって、ＣＰＵ１００（図４参照）は、正面上方撮影限界位置を超えた場合、撮影可能と判断する。
【００４５】
図５（ｅ）に示すように、正面下方撮影位置限界（θ＝−α２）においては、スイッチＳＷ１，ＳＷ２がオンを保持し、ＣＰＵ１００（図４参照）は、撮影可能と判断する。
以上の説明から明らかなように、図４に示すＣＰＵ１００は、図６に示す表にしたがって、撮影可能、撮影不可能を判別する。
【００４６】
そして、ＣＰＵ１００の判別結果に基づいて、増幅器１０２の利得を制御したり、液晶モニタ１１にスルー画像を表示するのを制御する。また、節電モードに入るまでの時間を制御する。
図７は、図４に示す実施の形態の動作を説明するためのフローチャートである。このフローチャートは、特許請求の範囲に記載する増幅手段の利得制御およびスルー画像の表示制御を行う場合の動作を示すものである。
【００４７】
図７に示すフローチャートにおいて、電子カメラは撮影可能状態にある。
ステップＳ１０において、ＣＰＵ１００は、図６に示す表にしたがい、スイッチＳＷ１，ＳＷ２のオン、オフに基づいて、撮像ブロック２が撮影可能な位置にあるか否かを判断する。撮影可能な位置にあると判定された場合には、ステップＳ１０を繰り返し実行する。撮影可能な位置にないと判定された場合には、ステップＳ１１に進む。
【００４８】
ステップＳ１１において、ＣＰＵ１００は、図４に示す増幅器１０２の利得制御を禁止する。また、ステップＳ１１において、ＣＰＵ１００は、液晶モニタ１１のスルー画像表示を禁止して、液晶モニタをオフする。
ステップＳ１２において、ＣＰＵ１００は、図６に示す表にしたがい、スイッチＳＷ１，ＳＷ２のオン、オフに基づいて、撮像ブロック２が撮影可能な位置にあるか否かを再び判断する。撮影可能な位置にないと判定された場合には、ステップＳ１２を繰り返し実行する。撮像可能な位置にあると判定された場合には、ステップＳ１３に進む。
【００４９】
ステップＳ１３において、ＣＰＵ１００は、図４に示す増幅器１０２の利得制御禁止を解除する。また、ＣＰＵ１００は、液晶モニタ１１のスルー画像の表示禁止を解除して、液晶モニタをオンする。
以上の説明から明らかなように、図７に示すフローチャートによれば、撮像ブロック２が撮影可能な位置にない場合、撮像装置の感度が自動的に上がる事態を防止できる。また、撮像ブロック２が撮像可能位置に戻った場合には、撮像装置の感度の自動調整を再開することができる。
【００５０】
さらに、図７に示すフローチャートによれば、撮像ブロック２が撮影可能な位置にない場合、液晶モニタ１１にノイズを含んだ不適切な画像が表示される事態を防止できる。また、撮像ブロック２が撮像可能位置に戻った場合には、液晶モニタ１１にスルー画像の表示を再開させることができる。
これらは、請求項１、２、３、４および請求項９、１０、１１、１２に記載の発明に対応する。
【００５１】
また、前記フローチャートにおいては、利得の制御と表示の制御について説明したが、本発明はこれに限定されるものではなく、撮像ブロック２が撮影可能な位置にない場合、撮像素子であるＣＣＤ２４の駆動を停止し、撮像ブロック２が撮像可能位置に戻った場合には、撮像素子であるＣＣＤ２４の駆動を再開するようにしてもよい。これは、請求項５、１３に記載の発明に対応する。
【００５２】
図８は、図４に示す実施の形態の動作を説明するためのフローチャートである。このフローチャートは、カメラが節電モードを実行する場合の動作を示すものである。
図８に示すフローチャートにおいて、カメラは撮影可能状態にある。
ステップＳ２０において、ＣＰＵ１００は、スリープタイマをセットする。スリープタイマは、例えばＣＰＵ１００の内部にあるタイマを用いてもよい。スリープタイマにセットされる時間は、液晶モニタ１１に表示されるメニュー等で設定することができる。この実施の形態においては、スリープタイマに３０秒を設定したとする。
【００５３】
ステップＳ２１において、ＣＰＵ１００は、スリープタイマのカウントを開始する。
ステップＳ２２において、ＣＰＵ１００は、何らかのボタン操作があったか否かを判定する。ボタン操作があった場合には、ステップＳ２０に戻り、前記動作を繰り返す。ボタン操作がなかった場合には、ステップＳ２３に進む。
【００５４】
ステップＳ２３において、ＣＰＵ１００は、スリープタイマのカウント値がステップＳ２０でセットされたカウント値を超えたか否かを判定する。超えたと判定された場合には、ステップＳ２４に進み、ＣＰＵ１００は、節電モードに入る。超えていないと判定された場合には、ステップＳ２５に進む。
ステップＳ２５において、ＣＰＵ１００は、図６に示す表にしたがい、スイッチＳＷ１，ＳＷ２のオン、オフに基づいて、撮像ブロック２が撮影可能な位置にあるか否かを判断する。撮影可能な位置にあると判定された場合には、ステップＳ２３を繰り返し実行する。撮影可能な位置にないと判定された場合には、ステップＳ２６に進む。
【００５５】
ステップＳ２６において、ＣＰＵ１００は、スリープタイマにステップＳ２０でセットした時間よりも短い時間をセットする。この実施の形態においては、スリープタイマに５秒を設定したとする。
ステップＳ２７において、ＣＰＵ１００は、スリープタイマのカウントを開始する。
【００５６】
ステップＳ２８において、ＣＰＵ１００は、再び撮像ブロック２が撮影可能な位置にあるか否かを判断する。撮影可能な位置にあると判定された場合には、ステップＳ２０に戻る。撮影可能な位置にないと判定された場合には、ステップＳ２９に進む。
【００５７】
ステップＳ２９において、スリープタイマのカウント値が５秒を超えたか否かを判定する。超えていないと判定された場合には、ステップＳ２９の判定を繰り返す。超えたと判定された場合には、ステップＳ２４に進み、ＣＰＵ１００は節電モードに入る。
以上の説明において、特許請求の範囲に記載する未操作検出手段は、ステップＳ２０〜ステップＳ２２における処理が相当する。また、特許請求の範囲に記載する節電手段は、ステップＳ２３、ステップＳ２４、ステップＳ２９における処理が相当する。また、特許請求の範囲に記載する切換手段は、ステップＳ２３〜ステップＳ２７における処理が相当する。
【００５８】
以上の説明から明らかなように、図８に示すフローチャートによれば、撮像ブロック２が撮影可能な位置にない場合、節電モードに入る通常の時間よりも短い時間で節電モードに入ることができる。したがって、電力を無駄に消費することがなくなるという効果がある。
これらは、請求項６、７および請求項１４、１５に記載の発明に対応する。
【００５９】
図９は、図４に示す実施の形態の動作を説明するためのフローチャートである。このフローチャートは、カメラが節電モードから回復する場合の動作を示すものである。
ステップＳ３０において、ＣＰＵ１００は、レリーズボタン１２が操作されたか否かを判定する。操作されたと判定された場合は、ステップＳ３３に進み、スリープ状態から撮像状態に移行する。操作されなかったと判定された場合は、ステップＳ３２に進む。
【００６０】
ステップＳ３２において、ＣＰＵ１００は、図６に示す表にしたがい、スイッチＳＷ１，ＳＷ２のオン、オフに基づいて、撮像ブロック２が撮影可能な位置にあるか否かを判断する。撮影可能な位置にあると判定された場合には、ステップＳ３３に進み、スリープ状態から撮像状態に移行する。撮影可能な位置にないと判定された場合には、ステップＳ３０に戻る。
【００６１】
以上の説明から明らかなように、図９に示すフローチャートによれば、撮像ブロック２が撮影可能な位置に戻ったとき、節電モードから撮像状態に戻ることが可能になる。
これは、請求項８と請求項１６に記載の発明に対応する。
【００６２】
【発明の効果】
第１及び第２の発明によれば、電子カメラの撮影レンズ系の開口部の少なくとも一部の領域がボディによって覆われているか否かを判別して、判別結果に応じて撮像装置の感度調整を行うか否かを制御する電子カメラを提供することができる。
【００６３】
また、第３、第４及び第５の発明によれば、カメラの撮影レンズ系の開口部の少なくとも一部がボディによって覆われたか否かを判別して、判別結果に応じて、節電モードのための所定時間を切り切り換えるようにしたカメラを提供することができる。
【００６４】
また、第３、第４、第５、第８、第９及び第１０の発明によれば、カメラの撮影レンズ系の開口部の少なくとも一部の領域が何らかの物体（例えば、レンズキャップやカバー等）によって覆われたか否かを判別して、判別結果に応じて、節電モードのための所定時間を切り換えるようにしたカメラを提供することができる。
【図面の簡単な説明】
【図１】本発明の一実施の形態で用いるカメラの斜視図である。
【図２】ボディに対して撮像ブロックが回転変位する状態を示す説明図である。
【図３】ボディに対して撮像ブロックが回転変位する状態を示す説明図である。
【図４】電子カメラのブロック図である。
【図５】撮像ブロックの回転位置に応じて、回転軸に直結したカムにより、スイッチＳＷ１，ＳＷ２がオン／オフする説明図である。
【図６】スイッチＳＷ１，ＳＷ２のオン／オフ状態に応じて、撮影可能または撮影不可能を判断するときの説明図である。
【図７】図４に示すブロック図の動作を示すフローチャートである。
【図８】図４に示すブロック図の動作を示すフローチャートである。
【図９】図４に示すブロック図の動作を示すフローチャートである。
【符号の説明】
１  ボディ
２  撮像ブロック
１１  液晶モニタ
１２  レリーズボタン
２０  撮影レンズ系
２１  撮影レンズ系の開口部
２２  ストロボ発光部
２３  回転軸
２４  ＣＣＤ
２５  保護ガラス
２６  カム
１００  ＣＰＵ
１０１  バス
１０２  増幅器
１０３  Ａ／Ｄ変換器
１０４  画像処理部
１０５  バッファメモリ
１０６  画像圧縮／伸長部
１０７  記録媒体
１０８  Ｄ／Ａ変換器
１１０  電源スイッチ
１１２  撮影モード／再生モード切換スイッチ
２０２  閃光発光装置
ＳＷ１，ＳＷ２  スイッチ
【図１】
0004161586.tif 000002
【図２】
0004161586.tif 000003
【図３】
0004161586.tif 000004
【図４】
0004161586.tif 000005
【図５】
0004161586.tif 000006
【図６】
0004161586.tif 000007
【図７】
0004161586.tif 000008
【図８】
0004161586.tif 000009
【図９】
0004161586.tif 000010